(57)【要約】      （修正有）【課題】細繊度化を伴う多繊条化、単繊維太さ２ｄｔｅｘ以下であって、かつ高速度での処理が要請される合成繊維マルチフィラメント糸において、好適な原糸交絡を与え得る新規な合成繊維マルチフィラメント糸の提供と、さらに該合成繊維マルチフィラメント糸の交絡付与装置と交絡付与方法を提供する。【解決手段】糸条に交絡を付与する糸処理部と、該糸処理部に開口し互いに交叉する２つの流体噴射孔７からなる流体噴射部と、流体噴射孔が開口する開口部Ｏを有する開口壁面ＦＯと、開口壁面に対向し糸処理部と外部とを連通するスリット部を対向壁面ＦＰとで構成する対向壁面からなる、マルチフィラメント糸の交絡処理装置において、流体噴射孔の軸線および該軸線の交点を糸条走行方向Ｙに垂直な面内に設けるとともに、対向壁面が糸入り口部から糸出口部に向かって広がるように傾斜していることを特徴とするマルチフィラメント糸の交絡付与装置１。【選択図】図３
2010281019.tif 000002
【特許請求の範囲】
【請求項１】
糸条に交絡を付与する糸処理部と、該糸処理部を挟むように開口する少なくとも２つの流体噴射孔と、前記少なくとも２つの流体噴射孔が開口する開口部を有する開口壁面と、該開口壁面に対向し前記糸処理部と外部とを連通するスリット部を前記開口壁面とで構成する対向壁面とを有し、前記開口壁面と前記対向壁面の間を走行させる糸条に、前記少なくとも２つの流体噴射孔から流体を噴射させて集束性を付与するマルチフィラメント糸の交絡付与装置において、前記流体噴射孔の軸線および該軸線の交点を糸条走行方向に垂直な面内に設けるとともに、前記開口壁面と前記対向壁面との間隔が前記糸条走行方向上流側の糸入り口部から前記糸条走行方向下流側の糸出口部に向かって広がるように前記対向壁面が傾斜していることを特徴とするしマルチフィラメント糸の交絡付与装置。
【請求項２】
前記糸処理部の前記糸条走行方向の糸道長さ（Ｌ）と、前記糸条走行方向に対して垂直方向の断面において前記流体噴射孔の中心軸線と前記開口面とが交わる点と、前記流体噴射孔の中心軸線と前記対向壁面とが交わる点を結ぶ距離をギャップ（Ｇ）とした場合、前記糸道長さ（Ｌ）と前記ギャップ（Ｇ）が以下の（１）および（２）式の範囲を満足することを特徴とする請求項１記載のマルチフィラメント糸の交絡付与装置。
３ｍｍ≦Ｌ≦２０ｍｍ      …（１）
０．３ｍｍ≦Ｇ≦２ｍｍ    …（２）
【請求項３】
前記糸処理部において糸条が導入される入り口部の稜線および糸条が排出される出口部の稜線に付与されたＲ取り（Ｒ）と、前記糸道長さ（Ｌ）との関係が以下の（３）式の範囲を満足することを特徴とする請求項１または２に記載のマルチフィラメント糸の交絡付与装置。
Ｌ／５０≦Ｒ≦Ｌ／３     …（３）
【請求項４】
加圧流体の導入路を内部に設けた流体供給部と、該流体供給部の前記加圧流体導入路に沿って間隔をおいて列状に配置された少なくとも２つの流体噴射ノズル部材及び１つの側板部材とを備え、該少なくとも２つの流体噴射ノズル部材は、隣接する他の流体噴射ノズル部材或いは１つの側板部材との間に、糸処理部と、該糸処理部と外部とを連通するスリットが介在するように隔離され、前記それぞれの流体噴射ノズル部材には、糸処理部を挟むように開口する少なくとも２つの流体噴射孔が穿孔されていることを特徴とする請求項１から３のいずれかに記載のマルチフィラメント糸の交絡付与装置。
【請求項５】
前記少なくとも２つの流体噴射孔の中間に、上記糸処理部の軸線方向に形成されるＶ字形形状の凹部を有することを特徴とする請求項１から４のいずれかに記載のマルチフィラメント糸の交絡付与装置。
【請求項６】
請求項１〜５のうちのいずれかに記載のマルチフィラメント糸の交絡付与装置を用いてマルチフィラメント糸に交絡を付与することを特徴とするマルチフィラメント糸の交絡付与方法。
【請求項７】
単糸繊度が２ｄｔｅｘ以下のマルチフィラメント糸に交絡を付与することを特徴とする請求項６に記載のマルチフィラメント糸の交絡付与方法。
【発明の詳細な説明】
【技術分野】
【０００１】
本発明は、マルチフィラメント糸の交絡付与装置および交絡付与方法に関する。
【背景技術】
【０００２】
従来、溶融紡糸されてくる合成繊維マルチフィラメント糸の製造プロセスにおいて、該マルチフィラメント糸に集束性を与えるために、比較的、交絡数が少なめで交絡の弱い、所謂、原糸交絡と呼ばれる交絡の付与処理を施すこと行われている。
【０００３】
この交絡の付与は、本来、集束性を伴わずに溶融紡糸されてくる合成繊維マルチフィラメント糸に集束性を与えて取扱い性を向上させるために行うものである。
【０００４】
かかる交絡の付与は、合成繊維の溶融紡糸速度の著しい高速化や多繊条化（フィラメント本数の多数化）に伴い、近年でも、均斉かつ均一に効率良く行う手法の検討がされ具体的な提案もなされている（例えば、特許文献１参照）。
【０００５】
この特許文献１においてされている提案は、流体噴射交絡装置の上流および下流にそれぞれ設ける糸道規制ガイドの位置の適正化に関するものであるが、その目標レベルの前提は、高速ではあるものの（特許文献１の段落００２６）、実施例などに表されている如くに、特に、せいぜい、フィラメント本数は５０本以下、単繊維太さ（単フィラメント太さ）は４デニール（約４．４ｄｔｅｘ）以上というものであって、近年のより多繊条化（フィラメント本数の多数化）には十分に対応できたものと言えず、特に、細繊度化を伴う多繊条化（例えば、フィラメント本数１００本以上、単繊維太さ２ｄｔｅｘ以下（概して、０．１〜２．０ｄｔｅｘ程度、より実際工業的には０．６〜１．５ｄｔｅｘ程度））であって、かつ高速度での処理が要求されるものには十分でなかった。
【０００６】
本発明は、特に、細繊度化を伴う多繊条化（例えば、フィラメント本数１００本以上５００本以下）、単繊維太さ２ｄｔｅｘ以下（概して、０．１〜２．０ｄｔｅｘ程度））であって、かつ高速度での処理が要請される合成繊維マルチフィラメント糸の原糸交絡についてのものである。
【０００７】
一方、流体交絡処理装置としても、さまざまなものが提案されている（例えば、特許文献２、特許文献３参照）。
【０００８】
しかし、これらのものは原糸交絡というべきものでなく、加工糸としての交絡マルチフィラメント糸、例えば、ループ等を形成させ、かつそのループの発生を均一にさせること等をねらいとするものであり、それぞれの実施例などの記載からも明らかなように、交絡数では糸１ｍ当たり８０個／ｍ程度から、さらには１００個／ｍ以上というレベルのものであり、糸速度も３００〜６００ｍ／分程度というレベルのものであって、糸速度が３０００ｍ／分程度の合成繊維の溶融紡糸プロセスとしての処理ではなく、加工以前の原糸に対する交絡処理に関するものではなかった。
【先行技術文献】
【特許文献】
【０００９】
【特許文献１】特開２００２−６９７８０号公報
【特許文献２】特開平８−９２８３９号公報
【特許文献３】特開２００１−２４８０３１号公報
【発明の概要】
【発明が解決しようとする課題】
【００１０】
本発明の目的は、上述したような点に鑑み、近年の、特に、細繊度化を伴う多繊条化（例えば、フィラメント本数１００本以上５００本以下）、単繊維太さ２ｄｔｅｘ以下（概して、０．１〜２．０ｄｔｅｘ程度）であって、かつ高速度での処理が要請される合成繊維マルチフィラメント糸において、好適な原糸交絡を与え得る新規な合成繊維マルチフィラメント糸を提供すること、さらに、該合成繊維マルチフィラメント糸を製造するのに好適に用いられるマルチフィラメント糸の交絡付与装置と交絡付与方法を提供することにある。
【課題を解決するための手段】
【００１１】
上述した目的を達成する本発明のマルチフィラメント糸の交絡付与装置は、以下の（１）の構成からなる。
【００１２】
（１）糸条に交絡を付与する糸処理部と、該糸処理部を挟むように開口する少なくとも２つの流体噴射孔と、前記少なくとも２つの流体噴射孔が開口する開口部を有する開口壁面と、該開口壁面に対向し前記糸処理部と外部とを連通するスリット部を前記開口壁面とで構成する対向壁面を有し、前記開口壁面と前記対向壁面の間を走行させる糸条に、前記少なくとも２つの流体噴射孔から流体を噴射させて集束性を付与するマルチフィラメント糸の交絡付与装置において、前記流体噴射孔の軸線および該軸線の交点を糸条走行方向に垂直な面内に設けるとともに、前記開口壁面と前記対向壁面との間隔が前記糸条走行方向上流側の糸入り口部から前記糸条走行方向下流側の糸出口部に向かって広がるように前記対向壁面が傾斜していることを特徴とするしマルチフィラメント糸の交絡付与装置。
また、かかる本発明のマルチフィラメント糸の交絡付与装置において、より具体的に好ましくは、以下の（２）〜（５）の構成を有するものである。
【００１３】
（２）前記糸処理部の前記糸条走行方向の糸道長さ（Ｌ）と、前記糸条走行方向に対して垂直方向の断面において前記流体噴射孔の中心軸線と前記開口面とが交わる点と、前記流体噴射孔の中心軸線と前記対向壁面とが交わる点を結ぶ距離をギャップ（Ｇ）とした場合、前記糸道長さ（Ｌ）と前記ギャップ（Ｇ）が以下の（１）および（２）式の範囲を満足することを特徴とする上記（１）に記載のマルチフィラメント糸の交絡付与装置。
３ｍｍ≦Ｌ≦２０ｍｍ      …（１）
０．３ｍｍ≦Ｇ≦２ｍｍ    …（２）
（３）前記糸処理部において糸条が導入される入り口部の稜線および糸条が排出される出口部の稜線に付与されたＲ取り（Ｒ）と、前記糸道長さ（Ｌ）との関係が以下の（３）式の範囲を満足することを特徴とする上記（１）または（２）に記載のマルチフィラメント糸の交絡付与装置
Ｌ／５０≦Ｒ≦Ｌ／３     …（３）
（４）加圧流体の導入路を内部に設けた流体供給部と、該流体供給部の前記加圧流体導入路に沿って間隔をおいて列状に配置された少なくとも２つの流体噴射ノズル部材及び１つの側板部材を備え、該少なくとも２つの流体噴射ノズル部材は、隣接する他の流体噴射ノズル部材或いは隣接する１つの側板部材との間に、糸処理部と、該糸処理部と外部とを連通するスリットが介在するように隔離され、前記それぞれの流体噴射ノズル部材には、糸処理部を挟むように開口する少なくとも２つの流体噴射孔が穿孔されていることを特徴とする（１）から（３）のいずれかに記載のマルチフィラメント糸の交絡付与装置。
【００１４】
（５）前記少なくとも２つの流体噴射孔の中間に、上記糸処理部の軸線方向に形成されるＶ字形形状の凹部を有することを特徴とする（１）から（４）のいずれかに記載のマルチフィラメント糸の交絡付与装置。
また、本発明のマルチフィラメント糸の交絡付与方法は、以下の（６）の構成からなる。
【００１５】
（６）上記（１）〜（５）のうちのいずれかに記載のマルチフィラメント糸の交絡付与装置を用いてマルチフィラメント糸に交絡を付与することを特徴とするマルチフィラメント糸の交絡付与方法。
【００１６】
また、かかる本発明のマルチフィラメント糸の交絡付与方法において、より具体的に好ましくは、以下の（７）の構成を有するものである。
【００１７】
（７）単糸繊度が２ｄｔｅｘ以下のマルチフィラメント糸に交絡を付与することを特徴とする上記（６）記載のマルチフィラメント糸の交絡付与方法。
【発明の効果】
【００１８】
請求項１から５にかかる本発明によれば、特に、細繊度化を伴う多繊条化（例えば、フィラメント本数１００本以上５００本以下）、単繊維太さ２ｄｔｅｘ以下（概して、０．１〜２．０ｄｔｅｘ程度））であって、かつ高速度での処理が要請される合成繊維マルチフィラメント糸を製造することができる優れたマルチフィラメント糸の交絡付与装置が提供される。
【００１９】
また、請求項６、請求項７にかかる本発明によれば、特に上述の優れた合成繊維マルチフィラメント糸を製造することができる交絡付与方法が提供される。
【図面の簡単な説明】
【００２０】
【図１】本発明にかかるマルチフィラメント糸の交絡付与装置の構造を概略的に示した概略斜視図である。
【図２】図１に示した流体交絡付与装置１におけるマルチフィラメント糸の走行方向Ｙと垂直方向の断面をとった概略断面モデル図である。
【図３】図１と図２に示した交絡付与装置１の概略平面モデル図である。
【図４】多糸条を同時に集中して処理可能な一体の流体処理装置として組立てられた本発明にかかる交絡付与装置の構造の一例を示したもので、（ａ）が概略斜視図、（ｂ）が図２と同様に、流体交絡付与装置１におけるマルチフィラメント糸の走行方向Ｙと垂直方向の断面をとった概略断面モデル図である。
【図５】実施例で採用したポリエチレンテレフタレートマルチフィラメント糸を溶融紡糸して流体交絡処理に供して、流体交絡マルチフィラメント糸を製造するプロセスの一例をモデル的に示したものである。
【発明を実施するための形態】
【００２１】
以下、更に詳しく本発明について、説明する。
【００２２】
本発明は、糸条に交絡を付与する糸処理部と、該糸処理部を挟むように開口する少なくとも２つの流体噴射孔と、前記少なくとも２つの流体噴射孔が開口する開口部を有する開口壁面と、該開口壁面に対向し前記糸処理部と外部とを連通するスリット部を前記開口壁面とで構成する対向壁面とを有し、前記開口壁面と前記対向壁面の間を走行させる糸条に、前記少なくとも２つの流体噴射孔から流体を噴射させて集束性を付与するマルチフィラメント糸の交絡付与装置において、前記流体噴射孔の軸線および該軸線の交点を糸条走行方向に垂直な面内に設けるとともに、前記開口壁面と前記対向壁面との間隔が前記糸条走行方向上流側の糸入り口部から前記糸条走行方向下流側の糸出口部に向かって広がるように前記対向壁面が傾斜していることを特徴とするマルチフィラメント糸の交絡付与装置である。
【００２３】
図１は、本発明にかかるマルチフィラメント糸の交絡付与装置の構造の一例を概略的に示した概略斜視図であり、交絡付与装置１は、流体供給部２、流体噴射ノズル部材３、側板部材４およびスペーサー５からなっており、矢印Ｙで示したのがマルチフィラメント糸の走行方向である。
【００２４】
この図１に示した流体交絡付与装置１におけるマルチフィラメント糸の走行方向Ｙと垂直方向の断面をとった概略断面モデル図を、図２に示した。図２において、交絡付与装置１は、２の流体供給部、３の流体噴射ノズル部材、４の側板部材とからなり、７は流体噴射孔であり、２つの流体噴射孔は糸処理部６に向かう方向の各々の流体噴射孔の中心軸線上で交差角を呈して交叉するように糸処理部６に向かって開口している。
【００２５】
同図において、６は糸処理部であり、糸が走行する空間であるとともにこの部分で走行糸が振動挙動を起こして空気交絡が施される。
【００２６】
８はスリット部であり、９は流体導入通路である。スリット部８は交絡付与装置１に走行する連続マルチフィラメント糸を糸通しする際に糸導入部として用いられるものである。
【００２７】
流体導入通路９は、交絡処理に使用される圧空を供給する通路であり、圧縮空気は流体噴射ノズル部材３内に設けられた空間に導かれ、さらに２つの流体噴射孔から空気流が噴射される。
【００２８】
図３は、図１と図２に示した交絡付与装置１の概略平面モデル図であり、図２における糸条走行方向Ｙの縦断面であるＡ−Ａ断面を示したものである。流体噴射孔７の中心軸線および中心軸線の交点を糸条走行方向Ｙに垂直な面内に設ける、すなわち、図２のＡ−Ａ断面を表した図３において前記流体噴孔の開口部（Ｏ）を有する開口壁面（ＦＯ）に対する穿孔角（θ°）が直角に穿孔されているとともに、糸処理部６を介して流体噴射孔開口壁面（ＦＯ）と対向する位置にある対向壁面（ＦＰ）が流体噴射孔７の中心軸線に対し糸条走行方向上流側の糸入り口部から糸条走行方向下流側の糸出口部に向かって対向壁面（ＦＰ）が広がるように傾斜している関係を説明する概略モデル図であり、糸処理部６の軸線方向（糸条走行方向）の長さＬ（ｍｍ）と、糸条走行方向Ｙに対し垂直方向の断面において前記流体噴射孔の中心軸線と前記開口壁面（ＦＯ）とが交わる点と、前記流体噴射孔の中心軸線と前記対向壁面（ＦＰ）とが交わる点を結ぶ距離（Ｇ）との関係を説明するための概略モデル図でもある。
【００２９】
本発明において、穿孔装置により流体噴射孔を開口面に加工する際、開口面に対し穿孔角（θ°）が直角にではなく僅かでも傾斜して穿孔した場合においては、穿孔装置の工具が糸条の走行方向に平行な方向に流されるため開口位置が定まらず、その結果、２つの流体噴射孔から噴射される空気流が糸条の走行方向に平行な方向に対して僅かにずれてしまうことで交絡付与を阻害する仮よりの原因となる旋回流が生じるため、交絡性能にバラツキが発生し安定した交絡性能を得られなくなる。なお、図２に示すように、糸条の走行方向に垂直方向の断面における２つの流体噴射孔から噴射される空気流が交叉する交叉角は、僅かにずれ対称性が崩れても、旋回流を発生させたり空気流を乱したりすることが少ないため交絡性能にはそれほど影響を及ぼさない。
【００３０】
また、流体噴射孔に対し対向壁面が垂直であり、糸入り口側から出口側に向かって広がるように傾斜していないと、糸条に噴射された後の流体は、糸条の走行方向およびそれと反対方向の両方に強く流れるため、マルチフィラメントからなる糸条には、走行方向に対し反対方向に流れる強い空気の力により、糸条の入り口方向に糸条を戻そうとする力が働くことで、マルチフィラメントからなる糸条の一部の単糸繊維が弛んだり、弛んだ単糸繊維が糸道壁面との擦過により切断し毛羽となり、糸条の品位を低下させてしまうという問題がある。
【００３１】
また、本発明は、前記糸処理部の前記糸条走行方向の糸道長さ（Ｌ）と、前記糸条走行方向に対して垂直方向の断面において前記流体噴射孔の軸線と前記開口面とが交わる点と、前記流体噴射孔の軸線と前記対向壁面とが交わる点を結ぶ距離をギャップ（Ｇ）とした場合、前記糸道長さ（Ｌ）と前記ギャップ（Ｇ）が以下の（１）および（２）式の範囲を満足するようにすることが好ましい。
３ｍｍ≦Ｌ≦２０ｍｍ      …（１）
０．３ｍｍ≦Ｇ≦２ｍｍ    …（２）
Ｌが３ｍｍ以上２０ｍｍ以下の範囲にすることで、糸道壁面と非処理糸との接触する時間が短くなるため毛羽やたるみの発生を抑制するとともに、適度に集束性のある安定した交絡が付与できる。
【００３２】
また、Ｇが０．３ｍｍ以上２ｍｍ以下の範囲とすることで噴射された空気の排出が損なわれることがないとともに、噴射された空気が糸処理部から糸条が飛び出す方向に流れないので、糸条の長手方向に均一に交絡処理できる。
【００３３】
また、本発明は、前記糸処理部において糸条が導入される入り口部の稜線および糸条が排出される出口部の稜線に付与されたＲ取り（Ｒ）と、前記糸道長さ（Ｌ）との関係が以下の（３）式の範囲を満足するようにすることが好ましい。
Ｌ／５０≦Ｒ≦Ｌ／３     …（３）
ＲがＬ／５０以上Ｌ／３以下の範囲とすることで、糸条が糸処理部の糸出入り口部で擦過することを和らげることができるので、毛羽やたるみの発生を抑制するとともに、糸条の長手方向において交絡抜けのない均一で安定した交絡が付与できる。
【００３４】
本発明の流体交絡付与装置は、図４（ａ）、（ｂ）に示したように、複数本のマルチフィラメント糸を平行同時的に、かつ物理的に一つの処理装置に集中させて処理が可能なように一体の流体処理装置として組立てられた多糸条用流体交絡処理ノズルとして使用される場合に、より高い実際的効果を発揮する。
【００３５】
ここで、図４の（ａ）が該多糸条用流体交絡付与装置の概略斜視図、（ｂ）が図２と同様に、図４（ａ）の多糸条用流体交絡付与装置におけるマルチフィラメント糸の走行方向Ｙと垂直方向の断面をとった概略断面モデル図である。
【００３６】
すなわち、一糸条に対する流体噴射孔を有する流体噴射ノズル部材３が、一方でその背面壁部において隣の糸条の糸処理部６の一部をなす壁を形成していて、そのような兼用構造で多糸条分が連立して一つのユニット体を形成しているという基本的構造を有する流体交絡処理ノズルである。図４において、１４、１５は一体化のためのボルトである。
【００３７】
上記多糸条用流体交絡付与装置１’は、流体導入通路９を内部に設けた流体供給部２と、該流体供給部２の加圧流体導入通路１８の方向に沿って間隔をおいて列状に配置された少なくとも２つの流体噴射ノズル部材３Ａ，３，３・・とからなり、該少なくとも２つの流体噴射ノズル部材は、隣接する他の流体噴射ノズル部材との間に、糸処理部６と、この糸処理部６と外部とを連通する糸掛けスリット部８とが介在するように離間させられ、該各々の流体噴射ノズル部材には、前記糸処理部６に向かって開口する流体噴射孔７が穿設されているとともに、前記流体供給部２の加圧流体導入通路１８から分岐され流体噴射孔７に連通する流体通路１９が設けられている。
【００３８】
この多糸条流体処理装置１’は、流体噴射孔７のみを有する流体噴射ノズル部材３Ａ、流体噴射孔７と糸処理部６を有する流体噴射ノズル部材３、糸処理部６のみを有する側板部４を少なくとも有し、また、これらを一つのユニットに構成するハウジング部材１６、流体噴射孔７に流体を供給する流体供給部２から構成される。
【００３９】
図４（ａ）（ｂ）に示すように、流体噴射ノズル部材３Ａ、流体噴射ノズル部材３、側板部材４及びこれらの流体噴射ノズル部材間に糸処理部６へ糸条を挿入させるための糸掛けスリット部８を構成するスペーサ５をハウジング部材１６を両側から挟み込みボルト１４で固定する。上記ユニットと流体供給部２は、２本のボルト１５により固定され、この間のシールを行うために、Ｏリング１７が設置されている。
【００４０】
コンプレッサなどの流体源（図示せず）から供給される圧縮空気は流体導入通路９を介して加圧流体導入路１８へ供給され、流体噴射ノズル部材３，３・・、３Ａ内に形成された流体通路１９を介して流体噴射孔７から糸条へ衝突させる。
【００４１】
この多糸条用流体交絡付与装置１’においても、図３に示すように、流体噴射孔７の中心軸線および中心軸線の交点を糸条走行方向Ｙに垂直な面内に設ける、すなわち、図２のＡ−Ａ断面を表した図３において前記流体噴孔の開口部Ｏを有する開口壁面（ＦＯ）に対し直角に穿孔されているとともに、糸処理部６を介して流体噴射孔が開口する開口壁面（ＦＯ）と対向する位置にある対向壁面（ＦＰ）が流体噴射孔７の中心軸線に対し糸条走行方向Ｙの上流側の糸入り口部から糸条走行方向Ｙの下流側の糸出口部に向かって対向壁面（ＦＰ）が広がるように傾斜させている。
【００４２】
本発明において、この図４に示したような流体処理装置を用いる場合、同時に処理されるマルチフィラメント糸は、３本以上であることが好ましい。
【００４３】
すなわち、本発明において、好ましくは、加圧流体の導入路を内部に設けた流体供給部と、該流体供給部の前記流体通路に沿って間隔をおいて列状に配置された少なくとも２つの流体噴射ノズル部材及び１つの側板部材とを備え、該少なくとも２つの流体噴射ノズル部材は、隣接する他の流体噴射ノズル部材或いは１つの側板部材との間に、糸処理部と、該糸処理部と外部とを連通するスリットが介在するように隔離され、該それぞれの流体噴射ノズル部材には、糸処理部に向かって開口する少なくとも２つの流体噴射孔が穿孔されている交絡付与装置であることである。
【００４４】
本発明の交絡付与装置において、２つの流体噴射孔の中間に、上記糸処理部の軸線方向に形成されるＶ字形形状の凹部６Ａ（糸処理部としてみれば、Ｖ字形形状の凸部）を有することが好ましい。該Ｖ字形形状部を有することにより、走行フィラメント糸の振動挙動が定常的な安定したものとなり糸質や糸品位を均一あるいは均質化する上で好ましいものである。
【００４５】
図５は本発明にかかる交絡付与装置を用いマルチフィラメント糸を製造するためのマルチフィラメント糸の製造装置の概略図であり、１３は図示しない紡糸口金より紡出された熱可塑性溶融ポリマーに工程通過性を向上させるためマルチフィラメント糸に油剤付与する給油ガイドである。１０、１１は３０００ｍ／分前後の引き取り速度においてマルチフィラメント糸を延伸し搬送する第１、第２ゴデットローラで、１２は延伸し搬送されたマルチフィラメント糸を巻き取る巻取機である。
【実施例】
【００４６】
以下の実施例において、交絡数の測定と判定、毛羽数の測定と判定、バラツキの測定と判定は以下の手法によったものである。
（１）交絡数の測定と評価：
本発明の各実施例および比較例で得られた各ポリエステル部分配向未延伸糸について、ロッシールド社製自動連続交絡度試験器Ｒ−２０７２を用い、プリテンションを１０ｃＮ、トリップテンションを１７ｃＮと設定し、設定計数交絡部数を２０個として試料糸を走行させて、交絡部が２０個カウントされるまでに要した糸長さ（走行糸長さ）を測定し、交絡部から次の交絡部までの長さの平均値を、まず求めた。
【００４７】
さらに、上記長さの平均値から糸長さ１ｍあたりの交絡の個数に換算し、該換算値を「糸長さ１ｍあたり交絡数」として求めた。測定に当たっては、ｎ数を２０回としてその平均値を求めた。
【００４８】
交絡数についての判定は、糸１ｍ長さ当たりの交絡数が、２個未満を「不良」として表１では「×」で表記し、２個以上１０個未満を「良」として表１では「○」で表記し、１０個以上を「最良」として表１では「◎」で表記し、「良」以上を合格とし、「不良」は不合格とした。
（２）毛羽数の測定と判定
本発明の各実施例・比較例で得られた各ポリエステル部分配向未延伸糸について、東レ・エンジニアリング株式会社製毛羽計数装置ＤＴ−１０５を用いて、Ｓ型検出器により検出高さを０．５ｍｍに設定し、パッケージの解舒速度を５００ｍ／分として、５００００ｍの糸長さについて測定して、そのまま糸５００００ｍ長さ当たりに存在する毛羽数として求めた。
【００４９】
毛羽数についての判定は、糸５００００ｍ長さ当たりの毛羽数が、７個を越えるものを「不良」とし「×」で表記し、３個を超え７個以下のものを「良」として「○」で表記し、３個以下を「最良」として「◎」で表記し、「良」以上を合格とし、「不良」は不合格とした。
（３）交絡バラつきの評価
上記（１）と同様にロッシールド社製自動連続交絡度試験器Ｒ−２０７２を用い、プリテンションを１０ｃＮ、トリップテンションを１７ｃＮと設定し、設定計数交絡部数を２０個として試料糸を走行させて、交絡部から次の交絡部までの長さを２０回測定し、変動計数（ＣＶ値）を求めた。測定に当たっては、ｎ数を２０回としてその平均値を求めた。
バラツキについての判定は、７５％をこえるものを「不良」として表１では「×」で表記し、７５％以下のものを「良」として表１では「○」で表記した。
上記（１）から（３）の各項目の評価において、「×」が一つでもあるものは「不良」として表１の総合評価の欄に「×」で表記し、「○」または「◎」のときは表１の総合評価の欄に「良」として「○」で表記し、「×」がなく「◎」が２つ以上のものを優秀として表１の総合評価の欄に「◎」で表記した。
【００５０】
実施例１〜１０、比較例１〜２
表１に示した各種ディメンジョンの条件の流体交絡付与装置を用いて、図５に示した装置および工程により１３０ｄｔｅｘ、フィラメント本数１４４本のポリエチレンテレフタレートマルチフィラメント糸を溶融紡糸して流体交絡処理に供して巻取り速度３０００ｍ／分で巻き取り、流体交絡マルチフィラメント糸を製造した。
【００５１】
流体交絡付与装置は、表１に示した条件の他、噴射孔径１．０ｍｍとしたものを用い、流体（圧空）噴射圧力を０．２ＭＰａとし、交絡処理を施した。このときの紡糸張力は５０ｇであった。
【００５２】
各実施例および比較例で得られた各ポリエステル部分配向未延伸糸の糸質を表１に示した。
【００５３】
【表１】
2010281019.tif 000003
【符号の説明】
【００５４】
１：交絡付与装置
１’：多糸条用流体交絡付与装置
２：流体供給部
３、３Ａ：流体噴射ノズル部材
４：側板部材
５：スペーサ
６：糸処理部
６Ａ：Ｖ字形形状の凹部
７：流体噴射孔
８：スリット部
９：流体導入通路
１０：第１ゴデットロール
１１：第２ゴデットロール
１２：巻取機
１３：給油ガイド
１４：ボルト
１５：ボルト
１６：ハウジング部材
１７：Ｏリング
１８：加圧流体導入路
１９：流体通路
Ｙ：マルチフィラメント糸条の走行方向
Ｌ：糸処理部の軸線方向の長さ
θ：開口壁面と２つの流体噴射孔の軸線がなす角（穿孔角）
Ｏ：流体噴射孔の開口部
ＦＯ：流体噴射孔の開口部を有する開口壁面
ＦＰ：流体噴射孔の開口部と対向する対向壁面
【図１】
2010281019.tif 000004
【図２】
2010281019.tif 000005
【図３】
2010281019.tif 000006
【図４】
2010281019.tif 000007
【図５】
2010281019.tif 000008